(57)【要約】【課題】処理対象物に対して所定の相対位置となる領域にて処理が行われる場合に、平面上の方向を問わずにその相対位置の調整を行う。【解決手段】非接触型ＩＣラベル８を支持しながら搬送する装置の装置フレーム６に固定された装置側部材１０と、非接触型ＩＣラベル８に対して情報の書き込みや読み出しを行うリーダライタアンテナ３を支持する調整側部材２０とを有し、装置側部材１０は円柱体１２を有し、調整側部材２０は、円柱体１２の径よりも大きな径を具備し、円柱体１２が嵌合するための嵌合孔２２を有し、嵌合孔２２の側面に、嵌合孔２２に嵌合した円柱体１２に当接することにより円柱体１２を嵌合孔２２内にて固定するねじ３０を挿入可能な貫通孔２３ａ，２３ｂが設けられている。【選択図】図１
2010198179.tif 000002
【特許請求の範囲】
【請求項１】
処理対象物と、該処理対象物に対して所定の位置にて処理を行う処理手段との相対位置を調整するための位置調整機構であって、
前記処理対象物を支持する装置に一体化あるいは固定された装置側部材と、
前記処理手段を支持する調整側部材とを有し、
前記装置側部材は、第１の径を有する円柱体を有し、
前記調整側部材は、前記第１の径よりも大きな第２の径を具備し、前記円柱体が嵌合するための嵌合孔を有し、該嵌合孔の側面に、該嵌合孔に嵌合した前記円柱体に当接することにより当該円柱体を前記嵌合孔内にて固定する固定軸体を挿入可能な貫通孔が設けられている位置調整機構。
【請求項２】
処理対象物と、該処理対象物に対して所定の位置にて処理を行う処理手段との相対位置を調整するための位置調整機構であって、
前記処理対象物を支持する装置に一体化あるいは固定された装置側部材と、
前記処理手段を支持する調整側部材とを有し、
前記調整側部材は、第１の径を有する円柱体を有し、
前記装置側部材は、前記第１の径よりも大きな第２の径を具備し、前記円柱体が嵌合するための嵌合孔を有し、該嵌合孔の側面に、該嵌合孔に嵌合した前記円柱体に当接することにより当該円柱体を前記嵌合孔内にて固定する固定軸体を挿入可能な貫通孔が設けられている位置調整機構。
【発明の詳細な説明】
【技術分野】
【０００１】
本発明は、平面上での位置を調整するための位置調整機構に関する。
【背景技術】
【０００２】
昨今、情報化社会の進展に伴って、情報をカードに記録し、該カードを用いた情報管理や決済等が行われている。また、商品等に貼着されるラベルに情報を記録し、このラベルを用いての商品等の管理も行われている。
【０００３】
このようなカードやラベル、あるいはタグを用いた情報管理においては、カードやラベル、あるいはタグに対して非接触状態にて情報の書き込みや読み出しを行うことが可能なＩＣチップが搭載された非接触型ＩＣカードや非接触型ＩＣラベル、あるいは非接触型ＩＣタグがその優れた利便性から急速な普及が進みつつある。特に、非接触型ＩＣラベルにおいては、被着体に貼着した場合、その後、被着体から不用意に分離しないため、例えば、配送物に貼着しておき、配送物の配送拠点にてＩＣチップに情報を書き込んでいくことにより配送物の配送履歴を管理する等、貼着された被着体を確実に管理するための有効な手段として用いられている。
【０００４】
上述したような非接触型ＩＣラベルにおいては、ウェブ状の剥離紙に一方向に並んで配置され、ラベル用紙に並んで配置された状態で情報の書き込みや読み出しが行われ、製品として出荷される。また、近年では、剥離紙に並んで配置された非接触型ＩＣラベルに対して情報の書き込みや読み出しを行うとともに、その表面に情報を印字するラベルプリンタも実用化されている（例えば、特許文献１参照。）。
【０００５】
上述したような非接触型ＩＣラベルにおいては、情報書込読出手段となるリーダライタを用いて情報の書き込みや読み出しが行われることになるが、特に、電波の共振によって情報の書き込みや読み出しが行われる非接触型ＩＣラベルは、その指向性が強いことから、リーダライタにて非接触型ＩＣラベルに対して情報の書き込みや読み出しが可能となる相対位置の調整が厳密なものとなる。また、上述したラベルプリンタのように装置内にリーダライタが組み込まれているものにおいては、出力される電波が微弱なものであるため、同様に、リーダライタと非接触型ＩＣラベルとの相対位置の調整が厳密なものとなる。
【０００６】
一般に非接触型ＩＣラベルは、アンテナが内蔵されたインレットに表面シート等が貼り合わされて構成されているが、インレット内におけるアンテナの位置、あるいは表面シートに対するインレットの位置は、非接触型ＩＣラベル毎に異なっており、そのため、リーダライタのアンテナと非接触型ＩＣラベルのアンテナとの相対位置を非接触型ＩＣラベル毎に調整することとなる。
【０００７】
図４は、リーダライタのアンテナと非接触型ＩＣラベルのアンテナとの相対位置を調整するための従来の位置調整機構を示す図である。
【０００８】
リーダライタのアンテナと非接触型ＩＣラベルのアンテナとの相対位置を調整するための位置調整機構としては、例えば、図４に示すように、長孔１１２が貫通加工された２つの支持板１１１からなるものが用いられる。このような位置調整機構１０１を用いて、非接触型ＩＣラベルに対して情報の書き込みや読み出しを行う際の、リーダライタのアンテナと非接触型ＩＣラベルのアンテナとの相対位置を調整することができる。
【０００９】
図５は、図４に示した位置調整機構１０１を用いた、リーダライタのアンテナと非接触型ＩＣラベルのアンテナとの相対位置を調整する方法を説明するための図である。
【００１０】
図５に示すように、図４に示した位置調整機構１０１の２つの支持板１１１を、ウェブ状の剥離紙１０７に剥離可能に貼着された非接触型ＩＣラベル１０８が搬送される搬送経路１０４を介して対向するように配置し、２つの支持板１１１の長孔１１２と、リーダライタのアンテナとなるリーダライタアンテナ１０３に設けられた貫通穴１０５とに貫通するようにねじ１４０を挿入し、不図示のナットで締め付けることによってリーダライタアンテナ１０３を支持板１１１に固定する。
【００１１】
搬送経路１０４上をウェブ状の剥離紙１０７に剥離可能に貼着されて搬送されてくる非接触型ＩＣラベル１０８は、リーダライタアンテナ１０３にて情報の書き込みや読み出しが行われる際に停止するように、断続的に搬送される。そのため、その停止位置における非接触型ＩＣラベル１０８のアンテナの位置に応じて、ねじ１４０が挿入される位置を長孔１１２の長辺方向にて調整することにより、リーダライタアンテナ１０３と非接触型ＩＣラベル１０８のアンテナとの相対位置を調整することができる。
【００１２】
非接触型ＩＣラベル１０８の停止位置における非接触型ＩＣラベル１０８のアンテナの位置が、搬送経路１０４における非接触型ＩＣラベル１０８の上流側である場合は、図５（ａ）に示すように、ねじ１４０の挿入位置を、長孔１１２のうち非接触型ＩＣラベル１０８の搬送方向上流側とし、また、非接触型ＩＣラベル１０８の停止位置における非接触型ＩＣラベル１０８のアンテナの位置が、搬送経路１０４における非接触型ＩＣラベル１０８の下流側である場合は、図５（ｂ）に示すように、ねじ１４０の挿入位置を、長孔１１２のうち非接触型ＩＣラベル１０８の搬送方向下流側とすることにより、リーダライタアンテナ１０３と非接触型ＩＣラベル１０８のアンテナとの相対位置を調整することができる。
【先行技術文献】
【特許文献】
【００１３】
【特許文献１】特開２００６−７９５１４号公報
【発明の概要】
【発明が解決しようとする課題】
【００１４】
しかしながら、上述したような位置調整機構においては、非接触型ＩＣラベルの搬送方向における位置の調整を行うことができるものの、非接触型ＩＣラベルの搬送方向に直交する方向における位置の調整を行うことはできない。上述したように、一般的に非接触型ＩＣラベルは、アンテナが内蔵されたインレットに表面シート等が貼り合わされて構成されており、インレット内におけるアンテナの位置、あるいは表面シートに対するインレットの位置が非接触型ＩＣラベル毎に異なっているため、非接触型ＩＣラベルの搬送方向における位置の調整を行うだけでは、リーダライタのアンテナと非接触型ＩＣラベルのアンテナとの相対位置を厳密に調整することができるとは言い難い。
【００１５】
このような位置調整においては、上述したようなリーダライタのアンテナと非接触型ＩＣラベルのアンテナとの相対位置の調整に限らず、例えば、プリンタヘッドとこのプリンタヘッドによって印字が行われる被記録材や、磁気カードとこれに対して情報の書き込みや読み出しを行うための磁気アンテナ等、処理対象物に対して所定の相対位置となる領域にて処理が行われるものであれば、必要となるものである。
【００１６】
本発明は、上述したような従来の技術が有する問題点に鑑みてなされたものであって、処理対象物に対して所定の相対位置となる領域にて処理が行われる場合に、平面上の方向を問わずにその相対位置の調整を行うことができる位置調整機構を提供することを目的とする。
【課題を解決するための手段】
【００１７】
上記目的を達成するために本発明は、
処理対象物と、該処理対象物に対して所定の位置にて処理を行う処理手段との相対位置を調整するための位置調整機構であって、
前記処理対象物を支持する装置に一体化あるいは固定された装置側部材と、
前記処理手段を支持する調整側部材とを有し、
前記装置側部材は、第１の径を有する円柱体を有し、
前記調整側部材は、前記第１の径よりも大きな第２の径を具備し、前記円柱体が嵌合するための嵌合孔を有し、該嵌合孔の側面に、該嵌合孔に嵌合した前記円柱体に当接することにより当該円柱体を前記嵌合孔内にて固定する固定軸体を挿入可能な貫通孔が設けられている。
【００１８】
上記のように構成された本発明においては、処理対象物と、この処理対象物に対して所定の位置にて処理を行う処理手段との相対位置を調整する場合、処理対象物を支持する装置に一体化あるいは固定された装置側部材が有する円柱体を、処理手段を支持する調整側部材が有する嵌合孔に嵌合させる。調整側部材の嵌合孔は、装置側部材が有する円柱体の第１の径よりも大きな第２の径を有するため、嵌合孔に嵌合した円柱体は嵌合孔の内部にてその位置が固定されない状態となる。すなわち、この状態では、調整側部材に支持された処理手段は、装置側部材が一体化あるいは固定された装置に対してその相対位置が平面上にて方向を問わずに自由に動く状態となっている。そして、嵌合孔の側面に設けられた貫通孔に固定軸体を挿入し、処理手段の処理対処物に対する相対位置が所望のものとなるようにし、その状態における円柱体の嵌合孔内における位置にて、固定軸体を円柱体に当接させることにより、円柱体を嵌合孔内にて固定する。
【００１９】
また、処理対象物と、該処理対象物に対して所定の位置にて処理を行う処理手段との相対位置を調整するための位置調整機構であって、
前記処理対象物を支持する装置に一体化あるいは固定された装置側部材と、
前記処理手段を支持する調整側部材とを有し、
前記調整側部材は、第１の径を有する円柱体を有し、
前記装置側部材は、前記第１の径よりも大きな第２の径を具備し、前記円柱体が嵌合するための嵌合孔を有し、該嵌合孔の側面に、該嵌合孔に嵌合した前記円柱体に当接することにより当該円柱体を前記嵌合孔内にて固定する固定軸体を挿入可能な貫通孔が設けられている。
【００２０】
上記のように構成された本発明においては、処理対象物と、この処理対象物に対して所定の位置にて処理を行う処理手段との相対位置を調整する場合、処理手段を支持する調整側部材が有する円柱体を、処理対象物を支持する装置に一体化あるいは固定された装置側部材が有する嵌合孔に嵌合させる。装置側部材の嵌合孔は、調整側部材が有する円柱体の第１の径よりも大きな第２の径を有するため、嵌合孔に嵌合した円柱体は嵌合孔の内部にてその位置が固定されない状態となる。すなわち、この状態では、調整側部材に支持された処理手段は、装置側部材が一体化あるいは固定された装置に対してその相対位置が平面上にて方向を問わずに自由に動く状態となっている。そして、嵌合孔の側面に設けられた貫通孔に固定軸体を挿入し、処理手段の処理対処物に対する相対位置が所望のものとなるようにし、その状態における円柱体の嵌合孔内における位置にて、固定軸体を円柱体に当接させることにより、円柱体を嵌合孔内にて固定する。
【００２１】
これにより、処理対象物に対して所定の相対位置となる領域にて処理が行われる場合に、平面上の方向を問わずにその相対位置の調整が行われることになる。
【発明の効果】
【００２２】
以上説明したように本発明においては、処理対象物を支持する装置に一体化あるいは固定された装置側部材と、処理対象物に対して所定の位置にて処理を行う処理手段を支持する調整側部材とを有し、装置側部材が第１の径を有する円柱体を有し、調整側部材が、第１の径よりも大きな第２の径を具備し、円柱体が嵌合するための嵌合孔を有し、その嵌合孔の側面に、嵌合孔に嵌合した円柱体に当接することによりその円柱体を嵌合孔内にて固定する固定軸体を挿入可能な貫通孔が設けられている構成としたため、装置側部材の円柱体を調整側部材の嵌合孔に嵌合させ、処理手段の処理対処物に対する相対位置が所望のものとなるようにし、その状態における嵌合孔内における円柱体の位置において、嵌合孔の側面に設けられた貫通孔に挿入された固定軸体を円柱体に当接させて円柱体を固定することにより、処理対象物に対して所定の相対位置となる領域にて処理が行われる場合に、平面上の方向を問わずにその相対位置の調整を行うことができる。
【００２３】
また、処理対象物を支持する装置に一体化あるいは固定された装置側部材と、処理対象物に対して所定の位置にて処理を行う処理手段を支持する調整側部材とを有し、調整側部材が第１の径を有する円柱体を有し、装置側部材が、第１の径よりも大きな第２の径を具備し、円柱体が嵌合するための嵌合孔を有し、その嵌合孔の側面に、嵌合孔に嵌合した円柱体に当接することによりその円柱体を嵌合孔内にて固定する固定軸体を挿入可能な貫通孔が設けられている構成としたものにおいても、調整側部材の円柱体を装置側部材の嵌合孔に嵌合させ、処理手段の処理対処物に対する相対位置が所望のものとなるようにし、その状態における嵌合孔内における円柱体の位置において、嵌合孔の側面に設けられた貫通孔に挿入された固定軸体を円柱体に当接させて円柱体を固定することにより、処理対象物に対して所定の相対位置となる領域にて処理が行われる場合に、平面上の方向を問わずにその相対位置の調整を行うことができる。
【図面の簡単な説明】
【００２４】
【図１】本発明の位置調整機構の実施の一形態を示す外観斜視図であり、（ａ）は組み立てられた状態を示す図、（ｂ）は分解図である。
【図２】図１に示した位置調整機構が非接触型ＩＣラベルに対して情報の書き込みや読み出しを行う装置に取り付けられた状態を説明するための図であり、（ａ）は外観斜視図、（ｂ）は（ａ）示したＡ方向から見た図、（ｃ）は（ａ）に示したＢ方向から見た図、（ｄ）は（ａ）示したＣ方向から見た図である。
【図３】図１に示した位置調整機構が図２に示したように取り付けられた場合に非接触型ＩＣラベルのアンテナとリーダライタアンテナとの相対位置を調整する方法について説明するための図である。
【図４】リーダライタのアンテナと非接触型ＩＣラベルのアンテナとの相対位置を調整するための従来の位置調整機構を示す図である。
【図５】図４に示した位置調整機構を用いた、リーダライタのアンテナと非接触型ＩＣラベルのアンテナとの相対位置を調整する方法を説明するための図である。
【発明を実施するための形態】
【００２５】
以下に、本発明の実施の形態について図面を参照して説明する。
【００２６】
図１は、本発明の位置調整機構の実施の一形態を示す外観斜視図であり、（ａ）は組み立てられた状態を示す図、（ｂ）は分解図である。
【００２７】
本形態は図１に示すように、板状の装置側部材１０と調整側部材２０とから構成されている。
【００２８】
装置側部材１０は、支持板１１の一方の面に、第１の径を有する円柱体１２が、その底面が支持体１１に当接して配置されている。
【００２９】
調整側部材２０は、支持板２１に、支持板２１の表裏貫通した嵌合孔２２及び貫通穴２４が形成されているとともに、支持板２１の互いに異なる側面から嵌合孔２２の側面まで貫通した２つの貫通穴２３ａ，２３ｂが形成されている。この貫通穴２３ａ，２３ｂは、嵌合孔２２に嵌合した円柱体１２を固定するための固定軸体であるねじ３０を支持板２１の側面から挿入するためのものであり、その内側面には、ねじ３０のねじ山と噛み合うねじ溝が形成されている。また、嵌合孔２２の径は、装置側部材１０の円柱体１１の径よりも大きな第２の径となっている。
【００３０】
上記のように構成された位置調整機構１は、処理対象物と、この処理対象物に対して所定の処理を行う処理手段との相対位置を調整するためのものであって、装置側部材１０が、処理対象物を支持する装置に一体化あるいは固定されており、調整側部材２０の貫通穴２４によって処理手段を支持するとともに、円柱体１２を嵌合孔２２に嵌合させ、処理手段の処理対処物に対する相対位置が所望のものとなるようにし、その状態における円柱体１２の嵌合孔２２内における位置において、調整側部材２０の貫通孔２３ａ，２３ｂにねじ３０を挿入してこのねじ３０の先端部を円柱体１２の側面に当接させることにより、円柱体１２を嵌合孔２２内にて固定する。そのため、装置側部材１０の円柱体１２は、その高さが、円柱体１２を調整側部材２０の嵌合孔２２に嵌合させた場合に、貫通穴２３ａ，２３ｂの高さまで到達するのに十分な高さとなっている必要がある。
【００３１】
以下に、上記のように構成された位置調整機構１の使用方法について、非接触型ＩＣラベルのアンテナとこの非接触型ＩＣラベルに対して情報の書き込みや読み出しを行うリーダライタのアンテナとの相対位置を調整する方法を例に挙げて説明する。
【００３２】
まず、図１に示した位置調整機構１が、非接触型ＩＣラベルに対して情報の書き込みや読み出しを行う装置に取り付けられた状態について説明する。
【００３３】
図２は、図１に示した位置調整機構１が非接触型ＩＣラベルに対して情報の書き込みや読み出しを行う装置に取り付けられた状態を説明するための図であり、（ａ）は外観斜視図、（ｂ）は（ａ）示したＡ方向から見た図、（ｃ）は（ａ）に示したＢ方向から見た図、（ｄ）は（ａ）示したＣ方向から見た図である。
【００３４】
図２に示すように、本例においては、ウェブ状の剥離紙７に剥離可能に貼着された処理対象物となる非接触型ＩＣラベル８に対して情報の書き込みや読み出しを行う装置において、非接触型ＩＣラベル８に対して情報の書き込みや読み出しを行うための処理手段となるリーダライタアンテナ３と、非接触型ＩＣラベル８のアンテナとの相対位置を調整する場合について説明する。
【００３５】
ウェブ状の剥離紙７に剥離可能に貼着された非接触型ＩＣラベル８は、この非接触型ＩＣラベル８に対して情報の書き込みや読み出しを行う装置内の搬送経路４上を搬送されてくる。すなわち、ウェブ状の剥離紙７に剥離可能に貼着された非接触型ＩＣラベル８は、この非接触型ＩＣラベル８に対して情報の書き込みや読み出しを行う装置に支持されながら搬送されてくる。
【００３６】
このように搬送されてくる非接触型ＩＣラベル８に対して情報の書き込みや読み出しを行う装置において、非接触型ＩＣラベル８に対して情報の書き込みや読み出しを行うためのリーダライタアンテナ３と、非接触型ＩＣラベル８のアンテナとの相対位置を調整する場合は、まず、図１に示した位置調整機構１を、非接触型ＩＣラベル８が搬送される搬送経路４を介して対向するように２つ配置し、非接触型ＩＣラベル８に対して情報の書き込みや読み出しを行う装置の装置フレーム６にそれぞれ固定する。この位置調整機構１の装置フレーム６への固定は、装置側部材１０の支持板１１を装置フレーム６に固定することによって行うが、その方法は、例えば、支持板１１に孔を形成しておき、装置フレーム６から突出したねじ等の軸をその孔に挿入すること等が考えられる。
【００３７】
また、リーダライタアンテナ３を、２つの位置調整機構１に跨るように、２つの位置調整機構１の調整側部材２０にそれぞれ取り付けることにより、調整側部材２０にて支持する。リーダライタアンテナ３と調整側部材２０とは、リーダライタアンテナ３と調整側部材２０とを重ね合わせ、調整側部材２０の支持板２１に形成された貫通孔２４とリーダライタアンテナ３に形成された貫通孔５とにリーダライタアンテナ３側からねじ４０を挿入し、調整側部材２０の支持板２１側にてナット４１で締め付け固定する。リーダライタアンテナ３及び支持板２１にそれぞれ形成された貫通孔５，２４の径は、ねじ４０の径よりも大きく、それにより、リーダライタアンテナ３は、調整側部材２０に対して支持板２１の表面上にて回転可能となっている。なお、リーダライタアンテナ３を、調整側部材２０に対して支持板２１の表面上にて回転可能とするために、ねじ３０の頭の部分とリーダライタアンテナ３との間、並びに、ナット４１と支持板２１との間にワッシャーを介在させることが好ましい。
【００３８】
そして、装置側部材１０の円柱体１２を調整側部材２０の嵌合孔２２に嵌合させ、装置フレーム６に固定された装置側部材１０と、リーダライタアンテナ３が取り付けられた調整側部材２０とを組み合わせる。
【００３９】
その後、調整側部材２０の支持板２１に形成された貫通孔２３ａ，２３ｂに、支持板２１の側面側からねじ３０をそれぞれ挿入し、ねじ３０の先端部を、嵌合孔２２に嵌合した円柱体１２の側面に当接させることにより、円柱体１２を嵌合孔２２内にて固定する。これにより、調整側部材２０と装置側部材１０とが固定され、リーダライタアンテナ３が装置フレーム６に固定されることになる。
【００４０】
以下に、リーダライタアンテナ３と非接触型ＩＣラベル８のアンテナとの相対位置の調整方法について詳細に説明する。
【００４１】
図３は、図１に示した位置調整機構１が図２に示したように取り付けられた場合に非接触型ＩＣラベル８のアンテナとリーダライタアンテナ３との相対位置を調整する方法について説明するための図であり、位置調整機構１が取り付けられた装置を上側から見た図である。
【００４２】
上述したように、装置側部材１０の円柱体１２を調整側部材２０の嵌合孔２２に嵌合させ、装置フレーム６に固定された装置側部材１０と、リーダライタアンテナ３が取り付けられた調整側部材２０とを組み合わせ、調整側部材２０が装置側部材１０に対して支持板１１上にて回転していない状態においては、図３（ａ）に示すように、上側から見た場合に、リーダライタアンテナ３の長手方向の端辺と調整側部材２０の支持板２１の側面とが重なるような状態となっており、リーダライタアンテナ３と調整側部材２０の支持板２１とが、装置側部材１０の支持板１１上にて重なり合っている。この際、調整側部材２０の嵌合孔２２に嵌合した円柱体１２は、調整側部材２０に形成された貫通孔２３ａ，２３ｂにそれぞれ挿入されたねじ３０の先端部が当接することによって嵌合孔２２内にて固定されており、それにより、搬送経路４上を搬送されてくる非接触型ＩＣラベル８とリーダライタアンテナ３との相対位置が固定される。
【００４３】
この状態から、非接触型ＩＣラベル８に対するリーダライタアンテナ３の相対位置を、非接触型ＩＣラベル８の搬送方向については変えずに、非接触型ＩＣラベル８の搬送方向とは直交する方向に変える場合、調整側部材２０に形成された貫通孔２３ａ，２３ｂにそれぞれ挿入されたねじ３０を緩めてその先端部を円柱体１２から離間させる。この際、嵌合孔２２の径がこの嵌合孔２２に嵌合した円柱体１２の径よりも大きいため、貫通孔２３ａ，２３ｂにそれぞれ挿入されたねじ３０を緩めてその先端部を円柱体１２から離間させると、嵌合孔２２に嵌合した円柱体１２は嵌合孔２２の内部にてその位置が固定されない状態となる。そのため、調整側部材２０を装置側部材１０に対して、嵌合孔２２の径と円柱体１２の径との差分だけ前後左右に動かすことができるようになる。そこで、調整側部材２０の支持板２１を円柱体１２を軸として装置側部材１０の支持板１１上にて回転させるとともに、調整側部材２０を装置側部材１０に対して前後左右に動かすことにより、図３（ｂ）に示すように、非接触型ＩＣラベル８に対するリーダライタアンテナ３の相対位置を、非接触型ＩＣラベル８の搬送方向については変えずに、非接触型ＩＣラベル８の搬送方向とは直交する方向に変えることができる。図３（ｂ）に示した状態においては、図３（ａ）に示した状態に対して、円柱体１２とリーダライタ３の長辺方向の側辺部との間隔Ａが同一、すなわち、非接触型ＩＣラベル８の搬送方向についての非接触型ＩＣラベル８に対するリーダライタアンテナ３の相対位置は一定のまま、非接触型ＩＣラベル８の搬送方向とは直交する方向についての非接触型ＩＣラベル８に対するリーダライタアンテナ３の相対位置が変化している。この状態において、調整側部材２０に形成された貫通孔２３ａ，２３ｂにそれぞれ挿入されたねじ３０を再度締め付けてねじ３０の先端部を円柱体１２に当接させることにより、非接触型ＩＣラベル８とリーダライタアンテナ３との相対位置が固定される。
【００４４】
この状態から、非接触型ＩＣラベル８に対するリーダライタアンテナ３の相対位置を、非接触型ＩＣラベル８の搬送方向と直交する方向については変えずに、非接触型ＩＣラベル８の搬送方向に変える場合、上記同様に、調整側部材２０に形成された貫通孔２３ａ，２３ｂにそれぞれ挿入されたねじ３０を緩めてその先端部を円柱体１２から離間させる。そして、調整側部材２０の支持板２１を円柱体１２を軸として装置側部材１０の支持板１１上にて回転させるとともに、調整側部材２０を装置側部材１０に対して前後左右に動かすことにより、図３（ｃ）に示すように、非接触型ＩＣラベル８に対するリーダライタアンテナ３の相対位置を、非接触型ＩＣラベル８の搬送方向とは直交する方向については変えずに、非接触型ＩＣラベル８の搬送方向に変える。図３（ｃ）に示した状態においては、図３（ｂ）に示した状態に対して、円柱体１２とリーダライタ３の長辺方向の端辺との間隔Ｂが同一、すなわち、非接触型ＩＣラベル８の搬送方向と直交する方向についての非接触型ＩＣラベル８に対するリーダライタアンテナ３の相対位置は一定のまま、円柱体１２とリーダライタ３の長辺方向の側辺部との間隔がＡからＡ’に変化し、すなわち、非接触型ＩＣラベル８の搬送方向についての非接触型ＩＣラベル８に対するリーダライタアンテナ３の相対位置が変化している。この状態において、調整側部材２０に形成された貫通孔２３ａ，２３ｂにそれぞれ挿入されたねじ３０を再度締め付けてねじ３０の先端部を円柱体１２に当接させることにより、非接触型ＩＣラベル８とリーダライタアンテナ３との相対位置が固定される。
【００４５】
このように、調整側部材２０に形成された貫通孔２３ａ，２３ｂにそれぞれ挿入されたねじ３０を緩めてその先端部を円柱体１２から離間させ、調整側部材２０の支持板２１を円柱体１２を軸として装置側部材１０の支持板１１上にて回転させたり、調整側部材２０を装置側部材１０に対して前後左右に動かしたりすることにより、非接触型ＩＣラベル８とリーダライタアンテナ３との相対位置を、平面上の方向を問わずに調整することができる。
【００４６】
また、２つの位置調整機構１について、調整側部材２０の装置側部材１０に対する角度を互いに異なるように設定することにより、非接触型ＩＣラベル８の搬送方向に対して、リーダライタアンテナ３を斜めの方向に設定することもできる。
【００４７】
なお、上述した実施の形態においては、装置側部材１０が装置フレーム６から突出したねじ等によって装置フレーム６に固定されたものを例に挙げて説明したが、装置側部材１０は、装置フレーム６と一体化されていてもよい。
【００４８】
また、上述した実施の形態においては、支持板２１の互いに異なる側面から嵌合孔２２の側面まで貫通した２つの貫通穴２３ａ，２３ｂが形成されているが、支持板２１の互いに異なる側面から嵌合孔２２の側面まで貫通した貫通穴は、１つであってもよいし、３つ以上であってもよい。この貫通孔は、円柱体１２の嵌合孔２２内における位置を固定するねじを挿入するためのものであるため、その数が多いほど、円柱体１２を嵌合孔２２内にて確実に固定することができる。
【００４９】
また、上述した実施の形態においては、装置側部材１０に円柱体１２が設けられるとともに、調整側部材２０に嵌合孔２２及び貫通孔２３ａ，２３ｂが設けられ、嵌合孔２２に嵌合した円柱体１２を、貫通孔２３ａ，２３ｂに挿入されたねじ３０にて固定することにより、調整側部材２０に支持されたリーダライタアンテナ３の位置を調整するものを例に挙げて説明したが、装置側部材１０の構成と調整側部材２０の構成とを入れ替えることによっても、調整側部材２０に支持されたリーダライタアンテナ３の位置を調整することができる。すなわち、調整側部材２０に、第１の径を有する円柱体を設け、また、装置側部材１０に、円柱体の径よりも大きな第２の径を具備し、円柱体が嵌合するための嵌合孔を設け、この嵌合孔の側面に、ねじを挿入可能な貫通孔を設け、この貫通孔に挿入したねじを円柱体に当接させることにより円柱体を嵌合孔内にて固定させることもできる。なお、この場合においても、装置側部材１０は、例えば、支持板１１に形成された孔に装置フレーム６から突出したねじ等の軸を挿入することによって装置フレーム６に固定されるとともに、調整側部材２０は、リーダライタアンテナ３と重ね合わされ、支持板２１に形成された貫通孔２４とリーダライタアンテナ３に形成された貫通孔５とにリーダライタアンテナ３側からねじ４０を挿入し、支持板２１側にてナット４１で締め付け固定することによってリーダライタアンテナ３を支持することになる。
【００５０】
また、上述した実施の形態においては、位置調整機構１を、非接触型ＩＣラベル８が搬送される搬送経路４を介して対向するように２つ配置しているが、１つの位置調整機構１のみによっても、非接触型ＩＣラベル８とリーダライタアンテナ３との相対位置を調整できることは言うまでもない。
【００５１】
また、上述した実施の形態においては、図１に示した位置調整機構１を用いて、非接触型ＩＣラベルのアンテナとこの非接触型ＩＣラベルに対して情報の書き込みや読み出しを行うリーダライタのアンテナとの相対位置を調整する方法を例に挙げて説明したが、本発明の位置調整機構は、プリンタヘッドとこのプリンタヘッドによって印字が行われる被記録材や、磁気カードとこれに対して情報の書き込みや読み出しを行うための磁気アンテナ等、処理対象物に対して所定の相対位置となる領域にて処理が行われるものであれば、適宜利用することができる。
【符号の説明】
【００５２】
１    位置調整機構
３    リーダアンテナ
４    搬送経路
５，２３ａ，２３ｂ，２４    貫通穴
６    装置フレーム
７    剥離紙
８    非接触型ＩＣラベル
１０    装置側部材
１１，２１    支持板
１２    円柱体
２０    調整側部材
２２    嵌合孔
３０，４０    ねじ
４１    ナット
【図１】
2010198179.tif 000003
【図２】
2010198179.tif 000004
【図３】
2010198179.tif 000005
【図４】
2010198179.tif 000006
【図５】
2010198179.tif 000007